(57)【要約】  遠近調節型ＩＯＬが、可撓性光学膜（２０２）と、可撓性光学膜の外周から延在しかつ遠近調節型ＩＯＬの外周を規定する可撓性スカート（２０４）と、可撓性光学膜の前方に位置決めされるように構成されかつ遠近調節型ＩＯＬの外周の直径よりも小さい直径を有する水晶体嚢接触リング（２０６）とを含む。遠近調節型ＩＯＬは、水晶体嚢接触リングと可撓性スカートを接続する複数の支柱アセンブリ（２０８）をさらに含む。水晶体嚢（１０８）が遠近調節状態から非遠近調節状態へ移行するとき、水晶体嚢は水晶体嚢接触リングに力を加え、その力の少なくとも一部分は、複数の支柱アセンブリによって可撓性スカートに伝達される。伝達された力は、遠近調節型ＩＯＬの屈折力を低下させるように、可撓性光学膜の平坦化を引き起こす。
2018538060.tif 000002
【特許請求の範囲】
【請求項１】
患者の眼の水晶体嚢内に移植されるように構成された遠近調節型眼内レンズ（ＩＯＬ）であって、前記レンズは、
前記患者の眼の光軸に沿って配置されるように構成される可撓性光学膜と、
前記可撓性光学膜の外周から延在する可撓性スカートであって、前記遠近調節型ＩＯＬの外周を規定する可撓性スカートと、
前記可撓性光学膜の前方に、前記患者の眼の前記光軸に沿って位置決めされるように構成される水晶体嚢接触リングであって、前記遠近調節型ＩＯＬの前記外周の直径よりも小さい直径を有する水晶体嚢接触リングと、
前記水晶体嚢接触リングと可撓性スカートを接続する複数の支柱アセンブリと、
を含み、
前記水晶体嚢が遠近調節状態から非遠近調節状態へ移行するとき、前記水晶体嚢は前記水晶体嚢接触リングに力を加え、その力の少なくとも一部分は、前記複数の支柱アセンブリによって前記可撓性スカートに伝達され、前記伝達された力は、前記遠近調節型ＩＯＬの屈折力を低下させるように、前記可撓性光学膜の平坦化を引き起こす、遠近調節型眼内レンズ（ＩＯＬ）。
【請求項２】
前記複数の支柱アセンブリによって前記可撓性スカートに伝達された前記力は、前記可撓性スカートと前記可撓性光学膜との間の接合部において、前記可撓性スカートの半径方向の拡張を引き起こし、前記可撓性スカートの前記半径方向の拡張は、前記可撓性光学膜の前記外周において、対応する半径方向の拡張を引き起こす、請求項１に記載の遠近調節型ＩＯＬ。
【請求項３】
前記複数の支柱アセンブリのそれぞれが、
前記水晶体嚢接触リングから前記可撓性スカートまで延在する主支柱と、
前記可撓性スカートから前記主支柱まで延在する副支柱と、
を含む、請求項１に記載の遠近調節型ＩＯＬ。
【請求項４】
前記可撓性スカートが複数のリブを含む、請求項１に記載の遠近調節型ＩＯＬ。
【請求項５】
前記複数の支柱アセンブリのそれぞれが、前記複数のリブのうちの対応する１つにおいて、前記可撓性スカートに接続される、請求項４に記載の遠近調節型ＩＯＬ。
【請求項６】
前記可撓性スカートが複数の内部支持部材を含み、各内部支持部材は、前記可撓性スカートの後部から前記可撓性スカートの前部まで延在する、請求項１に記載の遠近調節型ＩＯＬ。
【請求項７】
前記可撓性スカートに接続された後部光学素子をさらに含む、請求項１に記載の遠近調節型ＩＯＬ。
【請求項８】
前記可撓性光学膜、前記可撓性スカート、および前記後部光学素子が、集合的に、流体を入れる密封キャビティを形成する、請求項７に記載の遠近調節型ＩＯＬ。
【請求項９】
前記流体は、シリコーンおよびシリコーン油の一方を含む、請求項８に記載の遠近調節型ＩＯＬ。
【請求項１０】
患者の眼の水晶体嚢内に移植されるように構成された遠近調節型眼内レンズ（ＩＯＬ）であって、前記レンズは、
前記患者の眼の光軸に沿って配置されるように構成される可撓性光学膜と、
前記可撓性光学膜の外周から延在する可撓性スカートであって、前記遠近調節型ＩＯＬの外周を規定し、かつ前部と、前記外周において接続される後部とを含む、可撓性スカートと、
前記可撓性スカートの前記後部から延在する後部光学素子であって、前記可撓性光学膜、前記可撓性スカート、および前記後部光学素子は、集合的に、流体を入れる密封チャンバーを規定する、後部光学素子と、
前記可撓性光学膜の前方に、前記患者の眼の前記光軸に沿って位置決めされるように構成される水晶体嚢接触リングであって、前記遠近調節型ＩＯＬの前記外周の直径よりも小さい直径を有する水晶体嚢接触リングと、
前記水晶体嚢接触リングと前記可撓性スカートの前記前部を接続する複数の支柱アセンブリと
を含み、
前記水晶体嚢が遠近調節状態から非遠近調節状態へ移行するとき、前記水晶体嚢は前記水晶体嚢接触リングに力を加え、その力の少なくとも一部分は、前記複数の支柱アセンブリによって前記可撓性スカートに伝達され、前記伝達された力は、前記遠近調節型ＩＯＬの屈折力を低下させるように、前記可撓性光学膜の平坦化を引き起こす、遠近調節型眼内レンズ（ＩＯＬ）。
【請求項１１】
前記複数の支柱アセンブリによって前記可撓性スカートに伝達された前記力が、前記可撓性スカートと前記可撓性光学膜との間の接合部において前記可撓性スカートの半径方向の拡張を引き起こし、前記可撓性スカートの前記半径方向の拡張は、前記可撓性光学膜の前記外周における、対応する半径方向の拡張を引き起こす、請求項１０に記載の遠近調節型ＩＯＬ。
【請求項１２】
前記複数の支柱アセンブリのそれぞれが、
前記水晶体嚢接触リングから前記可撓性スカートの前記前部上の第１の点まで延在する主支柱と、
前記可撓性スカートの前記前部上の第２の点から前記主支柱まで延在する副支柱であって、前記第２の点は、前記第１の点と前記可撓性光学膜との間に位置する、副支柱と、
を含む、請求項１０に記載の遠近調節型ＩＯＬ。
【請求項１３】
前記可撓性スカートが複数のリブを含む、請求項１０に記載の遠近調節型ＩＯＬ。
【請求項１４】
前記複数の支柱アセンブリのそれぞれが、前記複数のリブの対応する１つにおいて、前記可撓性スカートに接続されている、請求項１３に記載の遠近調節型ＩＯＬ。
【請求項１５】
前記可撓性スカートが複数の内部支持部材を含み、各内部支持部材は、前記可撓性スカートの前記後部から前記可撓性スカートの前記前部まで延在する、請求項１０に記載の遠近調節型ＩＯＬ。
【請求項１６】
前記流体が、シリコーンおよびシリコーン油の一方を含む、請求項１０に記載の遠近調節型ＩＯＬ。
【発明の詳細な説明】
【技術分野】
【０００１】
本開示は、概して、眼内レンズ（ＩＯＬ）の分野に、より詳細には、遠近調節型ＩＯＬに関する。
【背景技術】
【０００２】
白内障、または眼の自然の水晶体の曇りは、世界中で、予防可能な失明の主な原因である。現在、白内障は、罹患した水晶体を外科的に除去して人工の眼内レンズ（「ＩＯＬ」）と置き換えることによって、治療されている。図１は、白内障の外科的除去およびＩＯＬの移植に関する解剖学的構造を示す眼１００の図である。眼１００は、水晶体１０２、光学的に透明な角膜１０４、および虹彩１０６を含む。眼１００の虹彩１０６の後ろ側にある水晶体包（ｌｅｎｓ  ｃａｐｓｕｌｅ）（水晶体嚢（ｃａｐｓｕｌａｒ  ｂａｇ）１０８）は、水晶体１０２を含む。より詳細には、水晶体１０２は、前嚢部（前嚢１１０）と後嚢部（後嚢１１２）との間にある。前嚢１１０および後嚢１１２は、水晶体嚢１０８の赤道領域１１４で交わる。眼１００はまた、虹彩１０６の前側にある前眼房１１６、および虹彩１０６と水晶体嚢１０８との間にある後眼房１１８を含む。
【０００３】
白内障手術（混濁した水晶体１０２の除去を含む）の一般的な技術は、嚢外白内障摘出（「ＥＣＣＥ」）である。ＥＣＣＥは、角膜１０４の外縁の近くに切開および前嚢１１０に開口部を形成することを含み（すなわち、前嚢切開）、そこを通して、混濁した水晶体１０２を除去する。水晶体１０２は、様々な公知の方法によって除去され得る。そのような１つの方法は、超音波水晶体乳化吸引法であり、ここでは、超音波エネルギーが水晶体に適用されて、それを複数の小さな片に分解し、それらが水晶体嚢１０８から吸引される。それゆえ、水晶体１０２にアクセスするために除去される前嚢１１０の部分を除いて、水晶体嚢１０８は、ＥＣＣＥを通して実質的に無傷のままであり得る。無傷の後嚢１１２は、ＩＯＬを支持し、かつ眼１００の後眼房１２０内の硝子体液に対するバリアの機能を果たす。混濁した水晶体１０２の除去に続いて、人工ＩＯＬが、一般に、前嚢１１０の開口部を通して水晶体嚢１０８内に移植され得る。移植されたＩＯＬは、一般に、単焦点レンズであり、遠方視に対して好適な焦点屈折力（ｆｏｃａｌ  ｐｏｗｅｒ）をもたらすが、近方視には眼鏡やコンタクトレンズを使用する必要がある。複数の焦点を生成するための回折パターンに依拠する多焦点ＩＯＬも利用可能であるが、これまで、広く受け入れられていない。
【０００４】
健康な眼では、小帯の力は、毛様体筋１２２と、それに取り付けられた、水晶体嚢１０８の周辺を取り囲む小帯１２４とによって加えられる。これらの力は自然の水晶体の形状を変化させ、それにより、その屈折力（ｐｏｗｅｒ）を変化させるため、距離が変化するときにも像の焦点をはっきり合わせることができるようにする。単焦点または回折多焦点ＩＯＬが移植されると、眼のこの自然の遠近調節能力は失われる。
【発明の概要】
【発明が解決しようとする課題】
【０００５】
それゆえ、広くかつ有用な範囲にわたって遠近調節をもたらす安全かつ安定した遠近調節型眼内レンズに対するニーズが存在する。
【課題を解決するための手段】
【０００６】
本開示は、患者の眼の水晶体嚢に移植され得、毛様体筋の収縮および弛緩時の水晶体嚢の動きのエネルギーを利用するように構成される遠近調節型ＩＯＬに関する。いくつかの実施形態では、遠近調節型ＩＯＬは、患者の眼の光軸に沿って配置されるように構成される可撓性光学膜と、可撓性光学膜の外周から延在しかつ遠近調節型ＩＯＬの外周を規定する可撓性スカートと、可撓性光学膜の前方に、患者の眼の光軸に沿って位置決めされるように構成される水晶体嚢接触リング（ｃａｐｓｕｌａｒ  ｃｏｎｔａｃｔ  ｒｉｎｇ）（水晶体嚢接触リングの直径は、遠近調節型ＩＯＬの外周の直径よりも小さい）とを含む。遠近調節型ＩＯＬは、水晶体嚢接触リングと可撓性スカートを接続する複数の支柱アセンブリをさらに含む。水晶体嚢が遠近調節状態から非遠近調節（ｄｉｓａｃｃｏｍａｄａｔｉｖｅ）状態へ移行するとき、水晶体嚢は、水晶体嚢接触リングに力を加え、その力の少なくとも一部分は、複数の支柱アセンブリによって可撓性スカートに伝達される。伝達された力は、遠近調節型ＩＯＬの屈折力（ｏｐｔｉｃａｌ  ｐｏｗｅｒ）を低下させるように、可撓性光学膜の平坦化を引き起こす。
【０００７】
本開示のいくつかの実施形態は、１つ以上の技術的な利点を提供し得る。例えば、水晶体嚢接触リング、可撓性スカート、および支柱アセンブリは、可撓性光学膜の形状の変化を駆動するように毛様体突起のエネルギーを効率的に利用する能力を提供し得る。その結果、比較的大きな遠近調節範囲がもたらされ得る。
【０００８】
本開示およびその利点をより完全に理解するために、ここで、添付図面と併せて以下の説明を参照し、図面では、同様の参照符号が同様の特徴を示す。
【図面の簡単な説明】
【０００９】
【図１】白内障の外科的除去およびＩＯＬの移植に関する解剖学的構造を示す眼の図である。
【図２Ａ−２Ｂ】本開示のいくつかの実施形態による例示的な遠近調節型ＩＯＬである。
【図３Ａ−３Ｂ】本開示のいくつかの実施形態による、水晶体嚢が遠近調節状態から非遠近調節状態へ移行するときの、図２Ａ〜２Ｂに示す遠近調節型ＩＯＬの変形を示す。
【発明を実施するための形態】
【００１０】
当業者は、下記で説明する図面は、説明のためにすぎないことを理解する。図面は、本出願人の教示の範囲をなんら限定するものではない。
【００１１】
本開示の原理の理解を促すために、ここで、図面に示す実施形態を参照し、およびそれを説明するための特定の言語を使用する。それにもかかわらず、本開示の範囲の限定を意図するものではないことが理解される。説明するシステム、機器、および方法に対するいずれかの代替例およびさらなる修正例、および本開示の原理のいずれかのさらなる適用例が、本開示に関係する当業者が通常思いつくように、十分に考慮される。特に、一実施形態に関して説明されるシステム、機器、および／または方法が、本開示の他の実施形態に関して説明される特徴、構成要素、および／またはステップと組み合わせられ得ることが十分に考慮される。しかしながら、簡潔にするために、これらの組み合わせの多数の繰り返しは、別々には説明しない。簡単にするために、場合によっては、図面を通して同じ参照符号を使用して、同じまたは同様の部分を指す。
【００１２】
本開示は、概して、患者の眼１００の水晶体嚢１０８に移植されるように構成され、かつ毛様体筋１２２が収縮および弛緩するときの水晶体嚢１０８の動きのエネルギーを利用するように構成された眼内レンズ（ＩＯＬ）に関する。下記で詳細に説明するように、水晶体嚢１０８の動きのエネルギーは、少なくとも一部には、水晶体嚢接触リングによって利用され、この水晶体嚢接触リングは、ＩＯＬの可撓性光学膜の前方に位置決めされ、かつ複数の支柱アセンブリを介して、可撓性光学膜を取り囲む可撓性スカートに接続されている。利用されるエネルギーは、ＩＯＬの屈折力を変化させ得る。
【００１３】
図２Ａ〜２Ｂは、本開示のいくつかの実施形態による例示的な遠近調節型ＩＯＬ２００を示す。概して、遠近調節型ＩＯＬ２００は、可撓性光学膜２０２と、可撓性光学膜２０２の外周から延在する可撓性スカート２０４と、水晶体嚢接触リング２０６とを含む。水晶体嚢接触リング２０６は、複数の支柱アセンブリ２０８を介して可撓性スカートに接続されている。遠近調節型ＩＯＬ２００が移植されている水晶体嚢１０８が、遠近調節状態から非遠近調節状態へ移行すると、水晶体嚢１０８は、水晶体嚢接触リング２０６に力を加え得る。その力の少なくとも一部分が、複数の支柱アセンブリ２０８によって可撓性スカート２０４に伝達され、それにより、可撓性スカート２０４の半径方向の拡張、および可撓性光学膜２０２の平坦化を引き起こす。可撓性光学膜２０２の平坦化は、遠近調節型ＩＯＬ２００の屈折力の低下を生じ得る。
【００１４】
可撓性光学膜２０２は、単独で、または遠近調節型ＩＯＬ２００の他の要素と組み合わせて、遠近調節型ＩＯＬ２００に屈折力をもたらす任意の好適な構造を含み得る。いくつかの実施形態では、可撓性光学膜２０２は、２ｍｍ〜８ｍｍの範囲の直径、および３．４ｍｍ〜２００ｍｍの範囲の曲率半径を有し得る（それらそれぞれは、下記でさらに詳細に説明するように、それらの範囲内で可変とし得る）。さらに、可撓性光学膜２０２の厚さは、１１μｍ〜２５μｍの範囲とし得る。いくつかの実施形態では、可撓性光学膜２０２によってもたらされた屈折力は（単独で、または遠近調節型ＩＯＬ２００の他の要素と組み合わせて）、可変とし得、その変動は、少なくとも一部には、可撓性光学膜２０２の曲率半径の変化から生じる（例えば、下記でさらに詳細に説明するように、水晶体嚢１０８によって加えられる力に応じて）。
【００１５】
可撓性スカート２０４は、可撓性光学膜２０２の周囲から半径方向に延在し、かつ直径２１２を有する遠近調節型ＩＯＬ２００の外周２１０を規定し得る。より詳細には、可撓性スカート２０４は、（１）可撓性光学膜２０２から外周２１０まで延在する前部２０４ａ、および（２）外周２１０から後方に延在する後部２０４ｂを含み得る。いくつかの実施形態では、前部２０４ａの厚さは、可撓性光学膜２０２の厚さと同じまたはほぼ同じであり得る。さらに、後部２０４ｂは、前部２０４ａよりも厚さが厚く、遠近調節型ＩＯＬ２００に構造的安定性をもたらすようにする。
【００１６】
いくつかの実施形態では、可撓性スカート２０４は、可撓性スカート２０４と可撓性光学膜２０２との間の接合部における半径方向の拡張を促す構造を有し得、それにより、可撓性光学膜２０２の直径の増大および対応する可撓性光学膜２０２の曲率半径の増加を促す。例えば、可撓性スカート２０４は、複数のリブ２１４を含み得、その全てまたは一部分は、前部２０４ａに形成され得る。
【００１７】
いくつかの実施形態では、可撓性スカート２０４は、水晶体嚢１０８と接触するように構成された１つ以上の鋭角特徴部を含み得る。これらの鋭角特徴部は、水晶体上皮細胞が水晶体嚢１０８の赤道領域１１４から移動するのを阻止するのに役立ち、それにより、後嚢混濁（ＰＣＯ）を防止するのに役立ち得る。
【００１８】
水晶体嚢接触リング２０６は、可撓性光学膜２０２の前方に位置する実質的に円形の構造であってもよい。いくつかの実施形態では、水晶体嚢接触リング２０６の直径２１６は、可撓性光学膜２０２の直径よりも大きく、遠近調節型ＩＯＬ２００が患者の眼１００の水晶体嚢１０８に移植されるときに、患者の視力に干渉するのを防止し得る。さらに、水晶体嚢接触リング２０６の直径２１６は、遠近調節型ＩＯＬ２００の外周２１０の直径２１２よりも小さくてもよい。
【００１９】
水晶体嚢接触リング２０６は、患者の眼１００の水晶体嚢１０８に移植されるときに、前嚢１１０の、ある領域に係合するように構成され得る。眼が非遠近調節状態から遠近調節状態へ移行するとき（およびその逆も同様）、この係合によって、水晶体嚢１０８によって加えられる力を、遠近調節型ＩＯＬ２００に伝達できるようにし得る（下記でさらに詳細に説明するように）。
【００２０】
水晶体嚢接触リング２０６は、複数の支柱アセンブリ２０８を介して可撓性スカート２０４に結合され得る。支柱アセンブリ２０８は、それぞれ、主支柱２０８ａおよび副支柱２０８ｂを含み得る。各支柱アセンブリ２０８の主支柱２０８ａは、水晶体嚢接触リング２０６から延在し、かつ可撓性スカート２０４上の１点に接続し得る。例えば、各主支柱２０８ａは、リブ２１４の対応する１つにおいて、可撓性スカート２０４に接続し得る。各支柱アセンブリ２０８の副支柱２０８ｂは、主支柱２０８ａから延在し、かつ可撓性スカート２０４上の１点に接続し得る。例えば、各副支柱２０８ｂは、リブ２１４の対応する１つにおいて、可撓性スカート２０４に接続し得る。さらに、副支柱２０８ｂの接続点は、主支柱２０８ａの接続点と可撓性光学膜２０２との間であり得る。いくつかの実施形態では、主支柱２０８ａおよび副支柱２０８ｂは、それぞれ、曲率半径を有し得る（図２Ａ〜２Ｂに示すように）；しかしながら、任意の他の好適な形状が本開示によって考えられる。
【００２１】
いくつかの実施形態では、遠近調節型ＩＯＬ２００は、さらに、複数の内部支持部材２１８を含み得、各内部支持部材は、複数の支柱アセンブリ２０８の１つと対応する。各内部支持部材２１８は、可撓性スカート２０４の前部２０４ａの後面から延在し、かつ可撓性スカート２０４の後部２０４ｂの前面に接続し得る。内部支持部材２１８は、可撓性光学膜０２の曲率半径の変更を達成するために力が水晶体嚢１０８から遠近調節型ＩＯＬ２００へ伝達される効率を高め得る。
【００２２】
いくつかの実施形態では、遠近調節型ＩＯＬ２００は、さらに、可撓性スカート２０４の後部２０４ｂによって規定された内径から延在する後部光学素子２２０であり得る。換言すると、可撓性光学膜２０２、可撓性スカート２０４、および後部光学素子２２０は、集合的に、流体を入れ得る密封チャンバー２２２を形成し得る。例えば、密封チャンバー２２２内の流体は、好ましくはゲル様の稠度であり、気泡がなく、光学的に透明で、無菌で、および生体適合性である、任意の好適なポリマー材料（例えば、シリコーン、シリコーン油、または任意の他の好適な流体媒質）を含み得る。さらに、可撓性光学膜２０２、後部光学素子２２０、およびチャンバー２２２に入れられた流体は、集合的に、遠近調節型ＩＯＬ２００の総屈折力（ｔｏｔａｌ  ｏｐｔｉｃ  ｐｏｗｅｒ）を提供し得る。いくつかの実施形態では、後部光学素子２２０は、水晶体嚢１０８によって加えられる力に応答して実質的に変形されないままである剛性光学素子を含み得る。いくつかの他の実施形態では、後部光学素子２２０は、可撓性光学膜２０２と同様の可撓性光学素子を含み得る。そのような実施形態では、後部光学素子２２０の曲率半径は、水晶体嚢１０８によって加えられる力に応答して変化してもよく、可撓性光学膜２０２および後部光学素子２２０の双方の曲率の変化が、集合的に、遠近調節型ＩＯＬ２００の総屈折力（ｔｏｔａｌ  ｐｏｗｅｒ）の変化を生じる。しかしながら、後部光学素子２２０が可撓性光学素子である実施形態でも、可撓性スカート２０４の後部２０４ｂの比較的剛性の構造に起因して、水晶体嚢２０８によって加えられる力から生じる曲率半径の変化は、ほとんどまたは全くないと得る。
【００２３】
いくつかの実施形態では、遠近調節型ＩＯＬ２００の上述の構成要素は、それぞれ、例えば、流体不透過性および生体適合性の材料を含む、様々な材料を含み得る。特に、可撓性光学膜２０２および後部光学素子２２０は、それぞれ、光学的に透明で滑らかな材料で構成され得る（例えば、光学的品質の面）。例示的な材料は、ヒドロゲル、シリコーン、アクリル樹脂材料、および他の弾性重合体および軟質プラスチックを含む。例えば、シリコーン材料は、ビニル末端のシロキサンまたは多ビニル末端のシロキサンなどの不飽和基末端のシロキサンであってもよい。非限定的な例は、ビニル末端のジフェニルシロキサン−ジメチルシロキサンコポリマー、ビニル末端のポリフェニルメチルシロキサン、ビニル末端のフェニルメチルシロキサン−ジフェニルジメチルシロキサン（ｄｉｐｈｅｎｙｉｄｉｍｅｔｈｙｌｓｉｌｏｘａｎｅ）コポリマー、ビニル末端のポリジメチルシロキサンおよびメタクリレート、およびアクリレート官能性シロキサンを含む。別の例として、ヒドロゲルまたは疎水性アクリル材料は、ＡｃｒｙＳｏｆ（登録商標）アクリル樹脂などの材料を含み得る。遠近調節型ＩＯＬ２００の上述の構成要素は、それぞれ、同じ材料で構成され得る（単一部片としてキャストされるかまたは複数の部片から組み立てられる）。あるいは、遠近調節型ＩＯＬ２００の上述の構成要素は、異なる材料の任意の好適な組み合わせで形成され得る。
【００２４】
図３Ａ〜３Ｂは、本開示のいくつかの実施形態による、水晶体嚢１０８が遠近調節状態から非遠近調節状態へ移行するときの遠近調節型ＩＯＬ２００の変形を示す。より詳細には、図３Ａは、水晶体嚢１０８が遠近調節状態にあるときの水晶体嚢１０８内の遠近調節型ＩＯＬ２００を示す一方、図３Ｂは、水晶体嚢１０８が非遠近調節状態にあるときの水晶体嚢１０８内の遠近調節型ＩＯＬ２００を示す。
【００２５】
水晶体嚢１０８が遠近調節状態から非遠近調節状態へ移行するとき、水晶体嚢は、軸方向に平らになり得る。この平坦化によって、圧縮力が遠近調節型ＩＯＬ２００に、特に水晶体嚢接触リング２０６に加えられるようにし得る。この力は、水晶体嚢接触リング２０６から支柱アセンブリ２０８によって可撓性スカート２０４へ伝達され得、この伝達された力は、可撓性スカート２０４の半径方向の拡張を引き起こし得る。そのような半径方向の拡張は、可撓性光学膜を半径方向に伸張させ、それにより、可撓性光学膜２０２の曲率半径を増大させる。曲率半径のこの増大は、遠近調節型ＩＯＬ２００の全体的な屈折力を低下させ得、ある範囲の視力を可能にする。
【００２６】
様々な上述のおよび他の特徴および機能、またはそれらの代替例が、多くの他の異なるシステムまたは適用例に所望通りに組み合わせられ得ることが認識される。本明細書の様々な現在では予見できないまたは予想外の代替例、修正例、変形例または改良例が、後に当業者によってなされるかもしれず、それらの代替例、変形例および改良例も、以下の特許請求の範囲に含まれるものとすることも認識される。
【図１】
2018538060.tif 000003
【図２Ａ】
2018538060.tif 000004
【図２Ｂ】
2018538060.tif 000005
【図３Ａ】
2018538060.tif 000006
【図３Ｂ】
2018538060.tif 000007
【国際調査報告】
2018538060.tif 000008
2018538060.tif 000009